【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
少なくとも２つのヒドロキシル部分によって置換されている脂肪族炭素部分を少なくとも１つの側鎖が含む重合したアクリルアミド基またはメタクリルアミド基を含む１つまたは複数のモノマーサブユニットを含む少なくとも１つのポリマーを含む、コンタクトレンズまたはＩＯＬであって、
少なくとも２つのヒドロキシル部分によって置換されている脂肪族炭素部分を少なくとも１つの側鎖が含む重合したアクリルアミド基またはメタクリルアミド基を含む該１つまたは複数のモノマーサブユニットが、該ポリマーの少なくとも５０重量％を構成する、コンタクトレンズまたはＩＯＬ。
【請求項２】
前記側鎖が、少なくとも２つのヒドロキシル部分によって置換されている分枝または非分枝のＣ２〜１０脂肪族炭素部分、好ましくは少なくとも２つのヒドロキシル部分によって置換されている分枝または非分枝のＣ３〜６脂肪族炭素部分、より好ましくは少なくとも２つのヒドロキシル部分によって置換されている分枝または非分枝のＣ３〜５脂肪族炭素部分、よりさらに好ましくは少なくとも２つのヒドロキシル部分によって置換されているＣ３脂肪族炭素部分を含み、最も好ましくは２，３−ジヒドロキシルプロピル部分である、請求項１に記載のコンタクトレンズまたはＩＯＬ。
【請求項３】
前記少なくとも１つのポリマーが、０％超かつ５％未満の重合した二官能性（メタ）アクリルアミドシリコン単位を含む、請求項１に記載のコンタクトレンズまたはＩＯＬ。
【請求項４】
少なくとも２つのヒドロキシル部分によって置換されている脂肪族炭素部分を少なくとも１つの側鎖が含む重合したアクリルアミド基またはメタクリルアミド基を含む前記１つまたは複数のモノマーサブユニットが、前記ポリマーの少なくとも７５重量％、好ましくは前記ポリマーの少なくとも９５重量％を構成する、請求項１に記載のコンタクトレンズまたはＩＯＬ。
【請求項５】
少なくとも２つのヒドロキシル部分によって置換されている脂肪族炭素部分を少なくとも１つの側鎖が含む重合したアクリルアミド基またはメタクリルアミド基を含む１つまたは複数のモノマーサブユニットを含む少なくとも９０重量パーセント、好ましくは少なくとも９５重量パーセントの前記ポリマーを含む、請求項１に記載のコンタクトレンズまたはＩＯＬ。
【請求項６】
２，３−ジヒドロキシルプロピル（メタ）アクリルアミドの架橋されたホモポリマーである、請求項１に記載のコンタクトレンズまたはＩＯＬ。
【請求項７】
前記ポリマーが、ジ（メタ）アクリルアミド、好ましくはＰＥＧジ（メタ）アクリルアミドを架橋性モノマーとして含む、請求項１に記載のコンタクトレンズまたはＩＯＬ。
【請求項８】
少なくとも１つのポリマーが、ＵＶ吸収モノマーを含む１つまたは複数のモノマーサブユニットをさらに含む、請求項１に記載のコンタクトレンズまたはＩＯＬ。
【請求項９】
架橋性モノマーと、約５０重量％超の２，３−ジヒドロキシルプロピル（メタ）アクリルアミド、好ましくは約９０重量％超の２，３−ジヒドロキシルプロピル（メタ）アクリルアミドとを含むモノマーの混合物から形成されたポリマーを含む、コンタクトレンズまたはＩＯＬブランク。
【請求項１０】
前記架橋性モノマーがＰＥＧジ（メタ）アクリルアミドである、請求項９に記載のコンタクトレンズまたはＩＯＬブランク。
【請求項１１】
前記モノマーの混合物が、約９２重量％超の２，３−ジヒドロキシルプロピル（メタ）アクリルアミドを含む、請求項９に記載のコンタクトレンズまたはＩＯＬブランク。
【請求項１２】
前記モノマーの混合物が、０重量％超かつ５重量％未満の重合した二官能性（メタ）アクリルアミドシリコンモノマーをさらに含む、請求項９に記載のコンタクトレンズまたはＩＯＬブランク。
【請求項１３】
（ａ）約８０重量％超の組み込まれた２，３−ジヒドロキシルプロピル（メタ）アクリルアミドを含むコポリマーまたは２，３−ジヒドロキシルプロピル（メタ）アクリルアミドのホモポリマーを生成するために、モノマーの混合物を重合する工程、および
（ｂ）該ポリマーからコンタクトレンズまたはＩＯＬを形成する工程
を含む、請求項１〜８のいずれか一項に記載のコンタクトレンズまたはＩＯＬを形成する方法。
【請求項１４】
前記ポリマーが、０％超かつ５％未満の重合した二官能性（メタ）アクリルアミドシリコン単位を含む、請求項１３に記載の方法。
【請求項１５】
９０〜９９重量％の２，３−ジヒドロキシルプロピル（メタ）アクリルアミドを含むポリマーを生成するための前記モノマーの混合物、請求項１３に記載の方法。
【請求項１６】
９０重量％超のジヒドロキシルプロピル（メタ）アクリルアミドを含むモノマーの混合物から形成されたポリマーを含む、組成物。
【手続補正２】
【補正対象書類名】明細書
【補正対象項目名】００１７
【補正方法】変更
【補正の内容】
【００１７】
他の態様は、少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットを含む少なくとも1つのポリマーを含む、眼内レンズであって、少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットが、ポリマーの少なくとも50重量%を構成する、眼内レンズを提供する。少なくとも1つの態様において、少なくとも1つのポリマーはホモポリマーである。少なくとも1つの態様において、少なくとも1つのポリマーはコポリマーである。少なくとも1つの態様において、側鎖は、少なくとも1つのヒドロキシル部分によって置換されている分枝または非分枝のC2〜10脂肪族炭素部分を含む。少なくとも1つの態様において、側鎖は、少なくとも2つのヒドロキシル部分によって置換されている分枝または非分枝のC3〜5脂肪族炭素部分を含む。少なくとも1つの態様において、眼内レンズは、約60重量パーセント超の平衡含水率を有する。少なくとも1つの態様において、眼内レンズは、約80重量パーセントまたは約80重量パーセント超の平衡含水率を有する。少なくとも1つの態様において、少なくとも1つのポリマーは、0%超かつ5%未満の重合した二官能性(メタ)アクリルアミドシリコン単位を含む。少なくとも1つの態様において、眼内レンズは、ポリ(2-ヒドロキシルエチルメタクリレート)と比較して8超〜約25の水分バランスを有する。少なくとも1つの態様において、眼内レンズは、ポリ(2-ヒドロキシルエチルメタクリレート)と比較して約15〜約20の水分バランスを有する。少なくとも1つの態様において、側鎖は、少なくとも2つのヒドロキシル部分によって置換されている分枝または非分枝のC3〜6脂肪族炭素部分を含む。少なくとも1つの態様において、側鎖は、少なくとも2つのヒドロキシル部分によって置換されているC3脂肪族炭素部分を含む。少なくとも1つの態様において、側鎖は2,3-ジヒドロキシルプロピル部分である。少なくとも1つの態様において、少なくとも1つのヒドロキシル部分によって置換されている脂肪族炭素部分を少なくとも1つの側鎖が含む重合したアクリルアミ基ドまたはメタクリルアミド基を含む1つまたは複数のモノマーサブユニットは、ポリマーの少なくとも75重量%を構成する。少なくとも1つの態様において、少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットは、ポリマーの少なくとも95重量%を構成する。少なくとも1つの態様において、眼内レンズは、少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットを含む少なくとも90重量パーセントのポリマーを含む。少なくとも1つの態様において、眼内レンズは、少なくとも1つのヒドロキシル部分によって置換されている脂肪族炭素部分を少なくとも1つの側鎖が含む重合したアクリルアミド基���たはメタクリルアミド基を含む1つまたは複数のモノマーサブユニットを含む少なくとも95重量パーセントのポリマーを含む。少なくとも1つの態様において、眼内レンズは、重合したアクリレート基またはメタクリレート基を含む眼内レンズの加水分解安定性よりも大きい加水分解安定性を有する。少なくとも1つの態様において、眼内レンズは、重合したアクリレート基またはメタクリレート基を含む眼内レンズの平衡含水率よりも大きい平衡含水率を有する。少なくとも1つの態様において、眼内レンズは、重合したアクリレート基またはメタクリレート基を含む眼内レンズの化学安定性よりも大きい化学安定性を有する。少なくとも1つの態様において、眼内レンズは、2,3-ジヒドロキシルプロピル(メタ)アクリルアミドの架橋されたホモポリマーである。少なくとも1つの態様において、架橋性モノマーはPEGジ(メタ)アクリルアミドである。少なくとも1つの態様において、1つまたは複数のモノマーサブユニットを含む少なくとも1つのポリマーは、UV吸収モノマーをさらに含む。少なくとも1つの態様において、1つまたは複数のモノマーサブユニットを含む少なくとも1つのポリマーは、90〜99重量%の2,3-ジヒドロキシルプロピル(メタ)アクリルアミドモノマーサブユニットを含む。
[本発明1001]
少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットを含む少なくとも1つのポリマーを含む、コンタクトレンズまたはIOLであって、
少なくとも1つのヒドロキシル部分によって置換されている脂肪族炭素部分を少なくとも1つの側鎖が含む重合したアクリルアミド基またはメタクリルアミド基を含む該1つまたは複数のモノマーサブユニットが、該ポリマーの少なくとも50重量%を構成する、コンタクトレンズまたはIOL。
[本発明1002]
前記少なくとも1つのポリマーがホモポリマーである、本発明1001のコンタクトレンズまたはIOL。
[本発明1003]
前記少なくとも1つのポリマーがコポリマーである、本発明1001のコンタクトレンズまたはIOL。
[本発明1004]
前記側鎖が、少なくとも1つのヒドロキシル部分によって置換されている分枝または非分枝のC2〜10脂肪族炭素部分を含む、本発明1001のコンタクトレンズまたはIOL。
[本発明1005]
前記側鎖が、少なくとも2つのヒドロキシル部分によって置換されている分枝または非分枝のC3〜5脂肪族炭素部分を含む、本発明1001のコンタクトレンズまたはIOL。
[本発明1006]
約60重量パーセント超の平衡含水率を有する、本発明1001のコンタクトレンズまたはIOL。
[本発明1007]
約80重量パーセントまたは約80重量パーセント超の平衡含水率を有する、本発明1001のコンタクトレンズまたはIOL。
[本発明1008]
前記少なくとも1つのポリマーが、0%超かつ5%未満の重合した二官能性(メタ)アクリルアミドシリコン単位を含む、本発明1001のコンタクトレンズまたはIOL。
[本発明1009]
と比較して8超〜約25の水分バランスを有する、本発明1001のコンタクトレンズまたはIOL。
[本発明1010]
ポリ(2-ヒドロキシルエチルメタクリレート)と比較して約15〜約20の水分バランスを有する、本発明1001のコンタクトレンズまたはIOL。
[本発明1011]
前記側鎖が、少なくとも2つのヒドロキシル部分によって置換されている分枝または非分枝のC3〜6脂肪族炭素部分を含む、本発明1001のコンタクトレンズまたはIOL。
[本発明1012]
前記側鎖が、少なくとも2つのヒドロキシル部分によって置換されているC3脂肪族炭素部分を含む、本発明1001のコンタクトレンズまたはIOL。
[本発明1013]
前記側鎖が2,3-ジヒドロキシルプロピル部分である、本発明1001のコンタクトレンズまたはIOL。
[本発明1014]
少なくとも1つのヒドロキシル部分によって置換されている脂肪族炭素部分を少なくとも1つの側鎖が含む重合したアクリルアミド基またはメタクリルアミド基を含む前記1つまたは複数のモノマーサブユニットが、前記ポリマーの少なくとも75重量%を構成する、本発明1001のコンタクトレンズまたはIOL。
[本発明1015]
少なくとも1つのヒドロキシル部分によって置換されている脂肪族炭素部分を少なくとも1つの側鎖が含む重合した基アクリルアミドまたはメタクリルアミド基を含む前記1つまたは複数のモノマーサブユニットが、前記ポリマーの少なくとも95重量%を構成する、本発明1001のコンタクトレンズまたはIOL。
[本発明1016]
少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットを含む少なくとも90重量パーセントの前記ポリマーを含む、本発明1001のコンタクトレンズまたはIOL。
[本発明1017]
少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットを含む少なくとも95重量パーセントの前記ポリマーを含む、本発明1001のコンタクトレンズまたはIOL。
[本発明1018]
重合したアクリレート基またはメタクリレート基を含むコンタクトレンズまたはIOLの加水分解安定性よりも大きい加水分解安定性を有する、本発明1001のコンタクトレンズまたはIOL。
[本発明1019]
重合したアクリレート基またはメタクリレート基を含むコンタクトレンズまたはIOLの平衡含水率よりも大きい平衡含水率を有する、本発明1001のコンタクトレンズまたはIOL。
[本発明1020]
重合したアクリレート基またはメタクリレート基を含むコンタクトレンズまたはIOLの化学安定性よりも大きい化学安定性を有する、本発明1001のコンタクトレンズまたはIOL。
[本発明1021]
2,3-ジヒドロキシルプロピル(メタ)アクリルアミドの架橋されたホモポリマーである、本発明1001のコンタクトレンズまたはIOL。
[本発明1022]
前記ポリマーが、ジ(メタ)アクリルアミドである架橋性モノマーを含む、本発明1001のコンタクトレンズまたはIOL。
[本発明1023]
前記架橋性モノマーがPEGジ(メタ)アクリルアミドである、本発明1022のコンタクトレンズまたはIOL。
[本発明1024]
1つまたは複数のモノマーサブユニットを含む少なくとも1つのポリマーが、UV吸収モノマーをさらに含む、本発明1001のコンタクトレンズまたはIOL。
[本発明1025]
1つまたは複数のモノマーサブユニットを含む前記少なくとも1つのポリマーが、90〜99重量%の2,3-ジヒドロキシルプロピル(メタ)アクリルアミドモノマーサブユニットを含む、本発明1001のコンタクトレンズまたはIOL。
[本発明1026]
前記少なくとも1つのポリマーがコポリマーであり、該コポリマーが、少なくとも1つのヒドロキシル部分によって置換されている脂肪族炭素部分を少なくとも1つの側鎖が含むアクリルアミド基またはメタクリルアミド基の重合したコモノマーを含むポリマーよりも低親水性であることを特徴とする重合したコモノマーを含む、本発明1001のコンタクトレンズまたはIOL。
[本発明1027]
モノマーの混合物から形成されたポリマーを含み、該混合物が、架橋性モノマー、および約50重量%超の2,3-ジヒドロキシルプロピル(メタ)アクリルアミドを含む、コンタクトレンズまたはIOLブランク。
[本発明1028]
前記モノマーの混合物が、約90重量%超の2,3-ジヒドロキシルプロピル(メタ)アクリルアミドを含む、本発明1027のコンタクトレンズまたはIOLブランク。
[本発明1029]
前記架橋性モノマーがPEGジ(メタ)アクリルアミドである、本発明1027のコンタクトレンズまたはIOLブランク。
[本発明1030]
水をさらに含む、本発明1027のコンタクトレンズまたはIOLブランク。
[本発明1031]
ポリ(2-ヒドロキシルエチルメタクリレート)と比較して8超〜約25の水分バランスを有する、本発明1027のコンタクトレンズまたはIOLブランク。
[本発明1032]
ポリ(2-ヒドロキシルエチルメタクリレート)と比較して約15〜約20の水分バランスを有する、本発明1027のコンタクトレンズまたはIOLブランク。
[本発明1033]
前記モノマーの混合物がUV吸収モノマーをさらに含む、本発明1027のコンタクトレンズまたはIOLブランク。
[本発明1034]
前記モノマーの混合物が、約92重量%超の2,3-ジヒドロキシルプロピル(メタ)アクリルアミドを含む、本発明1027のコンタクトレンズまたはIOLブランク。
[本発明1035]
前記モノマーの混合物が、0重量%超かつ5重量%未満の重合した二官能性(メタ)アクリルアミドシリコンモノマーをさらに含む、本発明1027のコンタクトレンズまたはIOLブランク。
[本発明1036]
本発明1027のコンタクトレンズまたはIOLブランク。
[本発明1037]
(a)約80重量%超の組み込まれた2,3-ジヒドロキシルプロピル(メタ)アクリルアミドを含むポリマーを生成するために、モノマーの混合物を重合する工程、および
(b)該ポリマーからコンタクトレンズまたはIOLを形成する工程
を含む、該コンタクトレンズまたは該IOLを形成する方法。
[本発明1038]
前記ポリマーがホモポリマーである、本発明1037の方法。
[本発明1039]
前記ポリマーがコポリマーである、本発明1037の方法。
[本発明1040]
前記ポリマーが、0%超かつ5%未満の重合した二官能性(メタ)アクリルアミドシリコン単位を含む、本発明1037の方法。
[本発明1041]
前記コンタクトレンズまたは前記IOLが、重合したアクリレート基またはメタクリレート基を含むコンタクトレンズまたはIOLの加水分解安定性よりも大きい加水分解安定性を有する、本発明1037の方法。
[本発明1042]
前記コンタクトレンズまたは前記IOLが、重合したアクリレート基またはメタクリレート基を含むコンタクトレンズまたはIOLの平衡含水率よりも大きい平衡含水率を有する、本発明1037の方法。
[本発明1043]
コンタクトレンズまたはIOLが、重合したアクリレート基またはメタクリレート基を含むコンタクトレンズまたはIOLの化学安定性よりも大きい化学安定性を有する、本発明1037の方法。
[本発明1044]
前記ポリマーが、重合したUV吸収モノマー単位を含む、本発明1037の方法。
[本発明1045]
90〜99重量%の2,3-ジヒドロキシルプロピル(メタ)アクリルアミドを含むポリマーを生成するための前記モノマーの混合物、本発明1037の方法。
[本発明1046]
本発明1037の方法。
[本発明1047]
(a)約50重量%超の組み込まれた2,3-ジヒドロキシルプロピル(メタ)アクリルアミドを含むポリマーを生成するために、非反応性極性希釈剤の存在下でモノマーの混合物を重合する工程、および
(b)該ポリマーからコンタクトレンズまたはIOLを形成する工程
を含む、該コンタクトレンズまたは該IOLを形成する方法。
[本発明1048]
前記非反応性極性希釈剤が水である、本発明1047の方法。
[本発明1049]
前記非反応性極性希釈剤が、前記モノマーの混合物の50重量%〜150重量%の量で存在する、本発明1047の方法。
[本発明1050]
非反応性極性希釈剤の存在下の前記モノマーの混合物がまた、1つまたは複数のアゾ開始剤を含む、本発明1047の方法。
[本発明1051]
非反応性極性希釈剤の存在下の前記モノマーの混合物がまた、1つまたは複数の架橋剤を含む、本発明1047の方法。
[本発明1052]
非反応性極性希釈剤の存在下の前記モノマーの混合物がまた、1つまたは複数の(メタ)アクリルアミドコモノマーを含む、本発明1047の方法。
[本発明1053]
非反応性極性希釈剤の存在下の前記モノマーの混合物がまた、1つまたは複数のアゾ開始剤を含む、本発明1047の方法。
[本発明1054]
前記ポリマーが、約90重量%超の組み込まれた2,3-ジヒドロキシルプロピル(メタ)アクリルアミドを含む、本発明1047の方法。
[本発明1055]
非反応性極性希釈剤の存在下の前記モノマーを型の中で重合する、本発明1047の方法。
[本発明1056]
90重量%超のジヒドロキシルプロピル(メタ)アクリルアミドを含むモノマーの混合物から形成されたポリマーを含む、組成物。
[本発明1057]
95重量%超のジヒドロキシルプロピル(メタ)アクリルアミドを含む、前記モノマーの混合物、本発明1056の組成物。
[本発明1058]
前記ポリマーがホモポリマーである、本発明1056の組成物。
[本発明1059]
前記ポリマーがコポリマーである、本発明1056の組成物。
[本発明1060]
前記モノマーの混合物が、0重量%超かつ5重量%未満の二官能性(メタ)アクリルアミドシリコンモノマーを含む、本発明1056の組成物。
[本発明1061]
前記モノマーの混合物が、0重量%超かつ5重量%未満のコモノマーを含み、該コモノマーが、ジヒドロキシルプロピル(メタ)アクリルアミドよりも低親水性であることを特徴とする、本発明1056の組成物。
[本発明1062]
前記モノマーの混合物がUV吸収モノマーをさらに含む、本発明1056の組成物。
[本発明1063]
前記モノマーの混合物がジ(メタ)アクリルアミドモノマーを含む、本発明1056の組成物。
[本発明1064]
前記ポリマーが水をさらに含む、本発明1056の組成物。
[本発明1065]
モノマーの混合物が、0重量%超かつ5重量%未満の重合した二官能性(メタ)アクリルアミドシリコンモノマーをさらに含む、本発明1056の組成物。
[本発明1066]
非反応性極性希釈剤中のモノマーの混合物から形成された前記ポリマー、本発明1056の組成物。
[本発明1067]
水中のモノマーの混合物から形成された前記ポリマー、本発明1056の組成物。
[本発明1068]
前記ポリマーが、90重量%超のジヒドロキシルプロピル(メタ)アクリレートを含むポリマーの加水分解安定性よりも大きい加水分解安定性を有する、本発明1056の組成物。
[本発明1069]
前記ポリマーが、90重量%超のジヒドロキシルプロピル(メタ)アクリレートを含むポリマーの平衡含水率よりも大きい平衡含水率を有する、本発明1056の組成物。
[本発明1070]
前記ポリマーが、90重量%超のジヒドロキシルプロピル(メタ)アクリレートを含むポリマーの化学安定性よりも大きい化学安定性を有する、本発明1056の組成物。
[本発明1071]
前記ポリマーがホモポリマーである、本発明1056の組成物。
[本発明1072]
前記ポリマーがコンタクトレンズまたはIOLにおける使用に適している、本発明1056の組成物。
[本発明1073]
コンタクトレンズである、本発明1056の組成物。
[本発明1074]
少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットを含む少なくとも1つのポリマーを含む、眼内レンズであって、
少なくとも1つのヒドロキシル部分によって置換されている脂肪族炭素部分を少なくとも1つの側鎖が含む重合したアクリルアミド基またはメタクリルアミド基を含む該1つまたは複数のモノマーサブユニットが、該ポリマーの少なくとも50重量%を構成する、眼内レンズ。
[本発明1075]
前記少なくとも1つのポリマーがホモポリマーである、本発明1074の眼内レンズ。
[本発明1076]
前記少なくとも1つのポリマーがコポリマーである、本発明1074の眼内レンズ。
[本発明1077]
前記側鎖が、少なくとも1つのヒドロキシル部分によって置換されている分枝または非分枝のC2〜10脂肪族炭素部分を含む、本発明1074の眼内レンズ。
[本発明1078]
前記側鎖が、少なくとも2つのヒドロキシル部分によって置換されている分枝または非分枝のC3〜5脂肪族炭素部分を含む、本発明1074の眼内レンズ。
[本発明1079]
約60重量パーセント超の平衡含水率を有する、本発明1074の眼内レンズ。
[本発明1080]
約80重量パーセントまたは約80重量パーセント超の平衡含水率を有する、本発明1074の眼内レンズ。
[本発明1081]
前記少なくとも1つのポリマーが、0%超かつ5%未満の重合した二官能性(メタ)アクリルアミドシリコン単位を含む、本発明1074の眼内レンズ。
[本発明1082]
ポリ(2-ヒドロキシルエチルメタクリレート)と比較して8超〜約25の水分バランスを有する、本発明1074の眼内レンズ。
[本発明1083]
ポリ(2-ヒドロキシルエチルメタクリレート)と比較して約15〜約20の水分バランスを有する、本発明1074の眼内レンズ。
[本発明1084]
前記側鎖が、少なくとも2つのヒドロキシル部分によって置換されている分枝または非分枝のC3〜6脂肪族炭素部分を含む、本発明1074の眼内レンズ。
[本発明1085]
前記側鎖が、少なくとも2つのヒドロキシル部分によって置換されているC3脂肪族炭素部分を含む、本発明1074の眼内レンズ。
[本発明1086]
前記側鎖が2,3-ジヒドロキシルプロピル部分である、本発明1074の眼内レンズ。
[本発明1087]
少なくとも1つのヒドロキシル部分によって置換されている脂肪族炭素部分を少なくとも1つの側鎖が含む重合したアクリルアミド基またはメタクリルアミド基を含む前記1つまたは複数のモノマーサブユニットが、前記ポリマーの少なくとも75重量%を構成する、本発明1074の眼内レンズ。
[本発明1088]
少なくとも1つのヒドロキシル部分によって置換されている脂肪族炭素部分を少なくとも1つの側鎖が含む重合したアクリルアミド基またはメタクリルアミド基を含む前記1つまたは複数のモノマーサブユニットが、前記ポリマーの少なくとも95重量%を構成する、本発明1074の眼内レンズ。
[本発明1089]
少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットを含む少なくとも90重量パーセントの前記ポリマーを含む、本発明1074の眼内レンズ。
[本発明1090]
少なくとも1つのヒドロキシル部分によって置換されている脂肪族炭素部分を少なくとも1つの側鎖が含む重合したアクリルアミド基またはメタクリルアミド基を含む1つまたは複数のモノマーサブユニットを含む少なくとも95重量パーセントの前記ポリマーを含む、本発明1074の眼内レンズ。
[本発明1091]
重合したアクリレート基またはメタクリレート基を含む眼内レンズの加水分解安定性よりも大きい加水分解安定性を有する、本発明1074の眼内レンズ。
[本発明1092]
重合したアクリレート基またはメタクリレート基を含む眼内レンズの平衡含水率よりも大きい平衡含水率を有する、本発明1074の眼内レンズ。
[本発明1093]
重合したアクリレート基またはメタクリレート基を含む眼内レンズの化学安定性よりも大きい化学安定性を有する、本発明1074の眼内レンズ。
[本発明1094]
2,3-ジヒドロキシルプロピル(メタ)アクリルアミドの架橋されたホモポリマーである、本発明1074の眼内レンズ。
[本発明1095]
前記架橋性モノマーがPEGジ(メタ)アクリルアミドである、本発明1074の眼内レンズ。
[本発明1096]
1つまたは複数のモノマーサブユニットを含む少なくとも1つのポリマーが、UV吸収モノマーをさらに含む、本発明1074の眼内レンズ。
[本発明1097]
1つまたは複数のモノマーサブユニットを含む前記少なくとも1つのポリマーが、90〜99重量%の2,3-ジヒドロキシルプロピル(メタ)アクリルアミドモノマーサブユニットを含む、本発明1074の眼内レンズ。